(57)【要約】【課題】電池収容部と電池押さえ部とを別体とし、電池押さえ部が破損してもその交換が容易な電池収容装置を提供する。【解決手段】電池収容装置１は、乾電池を収容する電池収容部２と、電池収容部２とは別体に構成され、電池収容部２に固着すると電池収容部２と強固に結合する構造（非破壊で分離不可な構造）であって、電池収容部２に収容された乾電池を押さえる電池押さえ部３と、を備える。【選択図】図３
2019220272.tif 000002
【特許請求の範囲】
【請求項１】
乾電池を収容する電池収容部と、
前記電池収容部に収容された乾電池を取り出し可能な状態で前記電池収容部の筐体に付勢させる係止部を備えた電池収容装置において、
前記係止部は、前記電池収容部とは別体に構成された部品であって前記電池収容部に固着されていることを特徴とする電池収容装置。
【請求項２】
前記係止部は、前記電池収容部の背面形状に沿った形状のベース部を備え、前記電池収容部へ固着した時に前記ベース部が前記電池収容部の背面部を覆うように構成されている請求項１に記載の電池収容装置。
【請求項３】
前記電池収容部は、収容された前記乾電池の側面と対向する側壁の一部を切り欠いて形成された切り欠き部を有し、
前記係止部は、前記ベース部の両側端部の前記切り欠き部の形成位置と対応する位置に立設された爪部を備え、前記電池収容部に固着したときに、前記切り欠き部を介して前記爪部が前記乾電池の外形に沿って前記乾電池の側面及び上面の一部に付勢するように構成されている請求項２に記載の電池収容装置。
【請求項４】
前記係止部は、自身を前記電池収容部へ固着するための固着用爪部を備え、
前記電池収容部は、前記固着用爪部を嵌着するための取付孔を備え、
前記固着用爪部を前記取付孔に嵌着することで前記係止部が保持されている請求項１〜３のいずれか１項に記載の電池収容装置。
【請求項５】
前記係止部は、合成樹脂から形成されている請求項４に記載の電池収容装置。
【請求項６】
前記係止部は、前記電池収容部と強固に結合した状態で固着されており、前記電池収容部から取り外す際に結合部分の少なくとも一部が破損する程度の強度で結合されている請求項１〜５のいずれか１項に記載の電池収容装置。
【請求項７】
前記電池収容部の内側における収容された前記乾電池の長さ方向と直交する方向の中央に、前記長さ方向の両端に亘って設けられた前記乾電池の外形に沿った形状の裾野を有する横断面略山状の敷居部と、
前記電池収容部の内側における前記乾電池のプラス端子と対向する部位に設けられ、当該プラス端子と接触するプラス電極と、
前記電池収容部の内側における前記乾電池のマイナス端子と対向する部位に設けられ、当該マイナス端子と接触するマイナス電極と、
前記電池収容部の背面部における前記敷居部の前記山状の頂上部の背面に設けられた、前記プラス電極と前記マイナス電極とをねじ止めするためのネジ孔と、を備える請求項１〜６のいずれか１項に記載の電池収容装置。
【発明の詳細な説明】
【技術分野】
【０００１】
本発明は、乾電池を収容する電池収容部を備えた電池収容装置に関する。
【背景技術】
【０００２】
従来、複数本の乾電池を接続する電池収容装置として、例えば特許文献１に記載の電池ホルダーがある。
かかる電池ホルダーは、その電池収容部に収容された乾電池の側面を覆う合成樹脂製の外側板の先端縁が乾電池の外面に沿うように湾曲されており、乾電池の収容時に先端縁が乾電池を押さえて収容部から乾電池が抜け出さないように構成されている。
【先行技術文献】
【特許文献】
【０００３】
【特許文献１】実開平４−１０２１５７号公報
【発明の概要】
【発明が解決しようとする課題】
【０００４】
上記従来技術では、上記先端縁のように乾電池を押さえる部分（以下、「電池押さえ部」という）が、乾電池の収容及び取り出しのために変形しやすく構成されている。そのため、例えば、使用頻度が高くて電池交換が頻繁に行われる状況や、屋外や暗所などでの煩雑な電池交換が行われる状況などの交換状態では、電池押さえ部の変形負荷が大きくなり破損しやすい。その結果、電池収容装置の頻繁な修理が必要となる。
【０００５】
しかし、上記従来技術では、電池押さえ部が電池収容部と一体形成されているため、電池押さえ部が破損した場合に、電池収容装置ごと交換する必要があり修理費がかさむといった問題があった。また、材質によって電池押さえ部の強度を上げる際に、電池収容装置全体の材料を変更したり異種材一体成形を行ったりする必要があり、コストが上昇する恐れがあった。
【０００６】
そこで、本発明は、このような問題点に着目してなされたものであって、電池収容部と電池押さえ部とを別体とし、電池押さえ部が破損してもその交換が容易な電池収容装置を提供することを課題とする。
【課題を解決するための手段】
【０００７】
上記課題を解決するために、本発明の第１の態様に係る電池収容装置は、乾電池を収容する電池収容部と、前記電池収容部に収容された乾電池を取り出し可能な状態で前記電池収容部の筐体に付勢させる係止部と、を備える。そして、前記係止部は、前記電池収容部とは別体に構成された部品であって前記電池収容部に固着されている。
【発明の効果】
【０００８】
本発明によれば、電池収容部と電池押さえ部とを別体に構成したので、例えば樹脂製の電池の係止部（電池押さえ部）が破損してもその部品のみを容易に交換することが可能となる。また、破損した部品のみの交換で済むので修理費を軽減することが可能となる。また、別体であるため容易に両者を異なる材料から構成することが可能となり、コストの上昇を抑えることが可能となる。
【図面の簡単な説明】
【０００９】
【図１】実施形態に係る電池収容装置の正面図である。
【図２】実施形態に係る電池収容装置の斜視図である。
【図３】実施形態に係る電池収容装置の分解斜視図である。
【図４】実施形態に係る電池収容部の電極部品を外した状態の背面図である。
【図５】図１のＡ−Ａ線断面図である。
【図６】（ａ）は、図５のＥ部拡大図であり、（ｂ）は、図１のＢ−Ｂ線断面図である。
【図７】実施形態に係る電池押さえ部の背面図である。
【図８】実施形態に係る電池押さえ部の正面図である。
【図９】図８のＧ矢視図である。
【図１０】図８のＨ−Ｈ線断面図である。
【図１１】（ａ）は、図９のＫ−Ｋ線断面図であり、（ｂ）は、図９のＬ−Ｌ線断面図である。
【図１２】図３のＤ−Ｄ線断面図である。
【図１３】（ａ）は、実施形態に係る電池収容部の電極部品を実装した状態の背面図であり、（ｂ）は、実施形態に係る電池収容装置の背面図である。
【図１４】実施形態に係る電池収容装置に電池を収容した状態を示す図である。
【図１５】図１４のＮ−Ｎ線断面図である。
【図１６】実施形態に係る電池収容装置を収容した産業用無線送信機の一例を示す断面図である。同図では、ホルダー収容部を含む一部分以外を輪郭線のみで表している。
【発明を実施するための形態】
【００１０】
以下、本発明に係る電池収容装置の一実施形態について、図面を適宜参照しつつ説明する。なお、図面は模式的なものである。そのため、厚みと平面寸法との関係、比率等は現実のものとは異なる場合があることに留意すべきであり、図面相互間においても互いの寸法の関係や比率が異なる部分が含まれている場合がある。また、以下に示す実施形態は、本発明の技術的思想を具体化するための装置や方法を例示するものであって、本発明の技術的思想は、構成部品の材質、形状、構造、配置等を下記の実施形態に特定するものではない。
【００１１】
（実施形態）
（全体構成）
図１〜図３に示すように、本発明の実施形態に係る電池収容装置１は、電池収容部２と、電池押さえ部３とを備えている。図３に示すように、電池収容部２と電池押さえ部３とは、別体に構成されており、電池収容部２に電池押さえ部３を固着することで、図１及び図２に示すように電池収容装置１が構成される。
【００１２】
（電池収容部２の構成）
電池収容部２は、図１〜図３に示すように、正面視（図１）で略矩形状の開口部を有する箱状に形成され、長手方向の一端側及び他端側の壁部である短壁部１０及び１１と、長手方向の両側面の壁部である長壁部１３及び１４とを備えている。更に、長手方向の中央位置に両端に亘って設けられた仕切壁１２と、短手方向の中央位置に両端に亘って設けられた敷居部１５ａ及び１５ｂとを備えている。電池収容部２は、例えばポリカーボネート等の合成樹脂から形成されている。
【００１３】
長壁部１３及び１４の内側の下半分は、収容する乾電池の形状に沿って凹型に湾曲して立ち上がった構成となっている。
また、短壁部１０及び１１並びに仕切壁１２は同じ高さに構成され、長壁部１３及び１４は短壁部１０及び１１並びに仕切壁１２よりも低く構成されている。
また、敷居部１５ａ及び１５ｂは、仕切壁１２に区切られた各部屋を更に２つに区分けするように構成されている。更に、敷居部１５ａ及び１５ｂは、長壁部１３及び１４よりも低く構成されており、収容する乾電池の外形に沿った湾曲面の裾野を有している。即ち、横断面が略山状（図６（ｂ）参照）となる形状に形成されている。
【００１４】
これにより、電池収容部２には、仕切壁１２と、敷居部１５ａ及び１５ｂとによって区分けされた、４つの電池室１６ａ、１６ｂ、１６ｃ及び１６ｄがそれぞれ形成されている。即ち、本実施形態では、これら４つの電池室１６ａ〜１６ｄにそれぞれ１本ずつ乾電池が収容されるようになっている。
長壁部１３の電池室１６ａの壁部分である側壁部１３ａには、その長手方向中央に平面視略矩形状の切り欠きからなる切り欠き部１００ａが設けられている。同様に、電池室１６ｂの側壁部１３ｂにはその長手方向中央に切り欠き部１００ｂが、電池室１６ｃの側壁部１４ａにはその長手方向中央に切り欠き部１００ｃが、電池室１６ｄの側壁部１４ｂにはその長手方向中央に切り欠き部１００ｄがそれぞれ設けられている。
【００１５】
切り欠き部１００ａ〜１００ｄは、各側壁部の下端から上端まで切り欠いて構成されており、側壁部１３ａ、１３ｂ、１４ａ及び１４ｂをそれぞれ長手方向に２つに分断している。
この構成により、電池押さえ部３を未固着時において、電池室１６ａ〜１６ｄに乾電池を収容したときに、切り欠き部１００ａ〜１００ｄを介して各乾電池の側面の一部が外部に露出するようになっている。
【００１６】
更に、電池収容部２の内部には、マイナス電極４ａ、４ｂ、４ｃ及び４ｄと、プラス電極５ａ、５ｂ、５ｃ及び５ｄとが取り付けられている。
また、電池収容部２の内壁部のプラス電極５ａ、５ｂ、５ｃ及び５ｄの取付位置には、乾電池のプラス端子を緩く収容可能な凹部２０、２１、２２及び２３が形成されている。なお、
マイナス電極４ａ〜４ｄは、電池室１６ａ〜１６ｄに収容された乾電池のマイナス端子と導通可能に接触する電極であり、金属製のコイルバネから構成されている。プラス電極５ａ〜５ｄは、電池室１６ａ〜１６ｄに収容された乾電池のプラス端子と導通可能に接触する電極であり、金属製の板バネから構成されている。
【００１７】
また、マイナス電極４ｂ〜４ｄは、図示省略するが、コイルバネを構成する金属線のコイル側とは反対側の金属線の端部を真っ直ぐに延長している。その端部は、各先端部がＵ字状に曲げられている。
また、プラス電極５ａ〜５ｄは、乾電池を収容する時にそのプラス端子に押されてそれぞれの取付位置の凹部２０、２１、２２及び２３の奥側に向かって弾性変形する。そして、そのときの弾性力によって自身を乾電池のプラス端子に押しつけるように構成されている。
【００１８】
また、マイナス電極４ｂ及びプラス電極５ａは、電池室１６ａ及び電池室１６ｂに収容された乾電池を直列接続するための中間電極である。また、マイナス電極４ｄ及びプラス電極５ｃは、電池室１６ｃ及び電池室１６ｄに収容された乾電池を直列接続するための中間電極である。即ち、本実施形態では、乾電池同士を直接接続せずに、仕切壁１２を挟んで中間電極を介して接続する構成となっている。
【００１９】
また、本実施形態において、図示省略するが、マイナス電極４ａ及びプラス電極５ｄは電気的に接続されており、マイナス電極４ｃ及びプラス電極５ｂは電気的に接続されていない。即ち、本実施形態の電池収容装置１は、電池室１６ａ〜１６ｄに収容した４本の乾電池を直列接続する構成となっている。
また、図２及び図３に示すように、電池室１６ｃを形成する短壁部１１ｂの背面の外壁部１１ｅ側の部分には、マイナス電極４ｃと導通する端子板２４が設けられている。この端子板２４は外部端子（−）としての役割を有している。なお、図示省略するが、端子板２４は、その一部が電池収容部２の背面側へと折曲げられて取り付けられている。そして、折曲げた先の部分である導通部２４Ｃ（後述）を介して、電池収容部２の背面側でマイナス電極４ｃと導通するように構成されている。
【００２０】
加えて、短壁部１１の外壁部１１ｅの短手方向中央下部には、電池押さえ部３を取り付ける際の位置決め用の嵌合凸部２５が設けられている。
また、電池室１６ａ及び１６ｂの側壁部１３ａ及び１３ｂの切り欠き部１００ａ及び１００ｂの各両隣の下端部には電池押さえ部３を取り付けるための取付孔１９ａ及び１９ｂ並びに取付孔１９ｃ及び１９ｄが設けられている。更に、電池室１６ｃ及び１６ｄの側壁部１４ａ及び１４ｂの切り欠き部１００ｃ及び１００ｄの各両隣の下端部には電池押さえ部３を取り付けるための取付孔１９ｅ及び１９ｆ並びに取付孔１９ｇ及び１９ｈが設けられている。
【００２１】
また、プラス電極５ａは、図５及び図６（ａ）に示すように、略Ｌ字状に折曲げられて取り付けられている。具体的に、略Ｌ字の短辺部である導通部５０Ｃａが凹部２０の下部に設けられた貫通孔１７ａを介して壁部１２ｉａ側から背面側の壁部１２ｉｂ側の下部に亘って延在するように取り付けられている。そして、プラス電極５ａの壁部１２ｉａ側の逆Ｌ字の長辺部である電極部５０Ｅａは乾電池のプラス端子と直接接触する部分である。また、プラス電極５ａは、略Ｌ字の角部５０Ｒａが下側に凸に湾曲しており、電池押さえ部３を電池収容部２に固着した時に、図６（ａ）に示すように、角部５０Ｒａが電池押さえ部３のバネ退避部３５ａ（後述）に収容される。ここで、角部の湾曲形成は、繰り返しなされる乾電池着脱による塑性変形防止のためである。
【００２２】
なお、プラス電極５ｃは、プラス電極５ａと同様の構成を有しており、凹部２２の下部に設けられた貫通孔１７ｂを介して壁部１２ｉｃから背面側の壁部１２ｉｄ側の下部に亘って延在するように取り付けられている。なお、プラス電極５ｃは、プラス電極５ａの各構成部の末尾の符号「ａ」を「ｃ」に置き換えたものと同様となる。
また、プラス電極５ｂ及び５ｄも略Ｌ字状をなして折曲げられて取り付けられている。
【００２３】
電池収容部２は、更に、図４に示すように、プラス電極５ａ〜５ｄをネジ止めするためのネジ孔２７ａ、２７ｂ、２７ｃ及び２７ｄと、プラス電極５ａ及び５ｃを取り付けるための貫通孔１７ａ及び１７ｂと、プラス電極５ｂ及び５ｄを取り付けるための貫通孔１８ａ及び１８ｂとを備えている。加えて、マイナス電極４ｂ及び４ｄの取付用で且つバネ押さえ部３４ａ及び３４ｂを挿通するための貫通孔２８ａ及び２８ｂと、マイナス電極４ａ及び４ｃの取付用の貫通孔２９ａ及び２９ｂとを備えている。
【００２４】
ネジ孔２７ａ及び２７ｃは、電池収容部２の正面側に形成された山状の敷居部１５ａの頂上部１５０ａの背面側に設けられており、ネジ孔２７ｂ及び２７ｄは、山状の敷居部１５ｂの頂上部１５０ｂの背面側に設けられている。即ち、本実施形態では、敷居部１５ａ及び１５ｂの最も厚みのある部分の背面側に沿ってネジ孔２７ａ〜２７ｄを形成している。
【００２５】
この肉厚構造は、ネジ孔２７ａ〜２７ｄ用のタッピングの形成に適しており、また、電池収容装置１が落下したときなど、筐体に衝撃が加わったときでも撓みにくく、ネジ孔２７ａ〜２７ｄのネジ山の破損が防止される。
また、ネジ孔２７ｂ及び２７ｄは、電池収容部２の敷居部１５ａ及び１５ｂの長手方向の中央とは異なり端部寄りの位置に設けられている。
【００２６】
貫通孔１７ａ及び１７ｂは、凹部２０及び２２に連通して電池収容部２の底部を貫通して形成された貫通孔であり、貫通孔１８ａ及び１８ｂは、凹部２１及び２３に連通して電池収容部２の底部を貫通して形成された貫通孔である。
貫通孔２８ａ及び２８ｂは、仕切壁１２の両側方に設けられている。更に、貫通孔２８ａ及び２８ｂと並んで、マイナス電極４ｂ及び４ｄの固定用の溝部２８０ａ及び２８０ｂが形成されている。
【００２７】
溝部２８０ａ及び２８０ｂは、マイナス電極４ｂ及び４ｄの誘導用且つ外れ防止用の溝であり、マイナス電極４ｂ及び４ｄのコイルバネを構成する金属線の径よりも僅かに広い幅を有している。
貫通孔２９ａ及び２９ｂは、電池収容部２の両端におけるマイナス電極４ａ及び４ｃを電池収容部２の背面部でネジ止めするための案内用の長孔であり、マイナス電極４ａ及び４ｃのコイルバネを構成する金属線の径よりも僅かに広い幅を有している。
【００２８】
（電池押さえ部３の構成）
電池押さえ部３は、図３に示すように、電池収容部２の背面側から固着される構成となっている。この電池押さえ部３は、図３、図８及び図９に示すように、電池収容部２の背面形状に沿った正面視略矩形状で且つ板状のベース部３０と、ベース部３０の長手方向の一側面側に立設された押さえ用爪部３１ａ及び３１ｂと、他側面側に立設された押さえ用爪部３１ｃ及び３１ｄとを備えている。
【００２９】
更に、電池押さえ部３は、ベース部３０の長手方向の一側面側に立設された固着用爪部３２ａ、３２ｂ、３２ｃ及び３２ｄと、他側面側に立設された固着用爪部３２ｅ、３２ｆ、３２ｇ及び３２ｈと、ベース部３０の長手方向の他端側の中央に立設された位置決め用の嵌合凹部３３とを備えている。
なお更に、電池押さえ部３は、ベース部３０の長手方向の略中央位置の両端に立設されたバネ押さえ部３４ａ及び３４ｂと、ベース部３０の長手方向の略中央位置で且つ長手方向の一側面側の上面に形成されたバネ退避部３５ａと、他側面側の上面に形成されたバネ退避部３５ｂとを備えている。
【００３０】
更に、電池押さえ部３は、図８に示すように、ベース部３０の正面側の長手方向一端部の短手方向中央に形成されたネジ頭退避部３６ａと、その対向側に位置する長手方向他端部の嵌合凹部３３の手前側中央に形成されたネジ頭退避部３６ｂとを備えている。更に、ベース部３０の正面側中央部には、長手方向に並列して形成されたネジ頭退避部３６ｃ及び３６ｄを備えている。
【００３１】
更にまた、電池押さえ部３は、その正面側のバネ退避部３５ａに対して長手方向の他端側に設けられたバネ位置固定部３７ａと、バネ退避部３５ｂに対して長手方向の一端側に設けられたバネ位置固定部３７ｂとを備えている。
押さえ用爪部３１ａは、図８及び図９に示すように、矩形板状の横押さえ爪部３１０ａと、横押さえ爪部３１０ａの上部に所定間隔を空けて且つ上方に突出して設けられた２本の上押さえ爪部３１１ａ及び３１２ａとを備えている。
【００３２】
押さえ用爪部３１ｂは、矩形板状の横押さえ爪部３１０ｂと、横押さえ爪部３１０ｂの上部に所定間隔を空けて且つ上方に突出して設けられた２本の上押さえ爪部３１１ｂ及び３１２ｂとを備えている。
また、押さえ用爪部３１ｃは、図８及び図１０に示すように、押さえ用爪部３１ｂと対向する位置に立設された矩形板状の横押さえ爪部３１０ｃと、横押さえ爪部３１０ｃの上部に所定間隔を空けて且つ上方に突出して設けられた２本の上押さえ爪部３１１ｃ及び３１２ｃとを備えている。
【００３３】
また、押さえ用爪部３１ｄは、押さえ用爪部３１ａと対向する位置に立設された矩形板状の横押さえ爪部３１０ｄと、横押さえ爪部３１０ｄの上部に所定間隔を空けて且つ上方に突出して設けられた２本の上押さえ爪部３１１ｄ及び３１２ｄとを備えている。
即ち、押さえ用爪部３１ａ〜３１ｄは、図７〜図１０に示すように、同形状に構成されている。加えて、図２及び図３に示すように、電池収容部２に固着した時に、切り欠き部１００ａ〜１００ｄと重なる位置に設けられ、且つ切り欠き部１００ａ〜１００ｄの幅よりも狭い幅に構成されている。
【００３４】
また、押さえ用爪部３１ａ及び３１ｄは、図１１（ａ）に示すように、横押さえ爪部３１０ａ及び３１０ｄの下半分は、電池収容部２が内側に納まる様に湾曲して立ち上がった構成となっており、横押さえ爪部３１０ａ及び３１０ｄの上半分は、垂直に真っ直ぐに立ち上がった構成となっている。加えて、上押さえ爪部３１２ａ及び３１１ｄは、電池収容部２に収容される乾電池の半径より僅かに小径を形成するＲ形状に湾曲して立ち上がった構成となっている。このことは、上押さえ爪部３１１ｂ及び３１２ｄについても同様である。
【００３５】
また、押さえ用爪部３１ｂ〜３１ｄについても押さえ用爪部３１ａと同様の形状となっている。
固着用爪部３２ａ及び３２ｂは、図８及び図９に示すように、押さえ用爪部３１ａの両端に配列されている。固着用爪部３２ａは、矩形板状の爪甲部３２０ａと、爪甲部３２０ａの先端部に電池押さえ部３の短手方向内側に突出して設けられた爪先部３２１ａとを備えている。また、固着用爪部３２ｂも同様に、爪甲部３２０ｂと、爪甲部３２０ｂの先端部に電池押さえ部３の短手方向内側に突出して設けられた爪先部３２１ｂとから構成されている。
【００３６】
また、固着用爪部３２ｃ、３２ｄも、固着用爪部３２ａ、３２ｂと同様の構成から成り立っており、爪甲部３２０ｃ、３２０ｄと、爪先部３２１ｃ、３２１ｄとから構成されている。
また、固着用爪部３２ｅ〜３２ｈも、図７の長手方向中央線Ｈ−Ｈを挟んで対向して形成され、固着用爪部３２ａ〜３２ｄと同じ構造を有している。
【００３７】
また、固着用爪部３２ａ及び３２ｈは、図１１（ｂ）に示すように、爪甲部３２０ａ及び３２０ｈが、電池収容部２の側壁部１３ａ及び１４ｂの下半分の外形に沿った湾曲形状で立ち上がった構成となっている。加えて、爪先部３２１ａ及び３２１ｈは対向して内側へと突出した構成となっている。このことは、固着用爪部３２ｂ及び３２ｇ、３２ｃ及び３２ｆ、３２ｄ及び３２ｅについても同様である。
【００３８】
また、固着用爪部３２ａ〜３２ｈは、同形状に構成されており、電池収容部２に電池押さえ部３を固着時に、爪先部３２１ａ〜３２１ｈの各々が、取付孔１９ａ〜１９ｈの末尾が同じ符号のものに嵌る位置関係且つ高さに構成されている。
バネ押さえ部３４ａ及び３４ｂは、図３、図９及び図１０に示すように、細長い板形状を外側に凸に湾曲した形状を有しその上端部３４０ａ及び３４０ｂは、電池押さえ部３の長手方向の一端側及び他端側に突出した構成を有している。
【００３９】
また、上端部３４０ａは、図１２に示すように、電池押さえ部３の外側から内側に向かって低くなる傾斜面３４１ａを有している。この傾斜面３４１ａは、マイナス電極４ｂのコイルバネのコイル側の付け根に当たる。この付け根のうずが始まる部分は、直立の部分から外側に向かって傾斜して始まるように形成されている。そのため、傾斜面３４１ａは、付け根の傾斜と同形状に沿う形に形成されている。これは、コイルバネの取付上、貫通孔２８ａの孔径がコイルバネの金属線より大径のため、マイナス電極４ｂの横方向（図１２において向かって左方向）へのずれ止めが必要であり、その動きを固定するためである。
【００４０】
なお、上端部３４０ｂについても上端部３４０ａと同様の構成を有しており、傾斜面３４１ｂを有している。そして、この傾斜面３４１ｂによって、マイナス電極４ｄの動きを固定する。
バネ退避部３５ａ及び３５ｂは、図８に示すように、横断面が半円弧形状の溝部から構成されている。これら半円弧形状は、プラス電極５ａ及び５ｃの角部５０Ｒａ及び５０Ｒｂの湾曲形状に沿った形状に構成されている。
【００４１】
ネジ頭退避部３６ａは、平面視で長軸側の一端が欠けた略楕円状の不貫通な窪みから構成され、ネジ頭退避部３６ｂは、平面視で略楕円状の不貫通な窪みから構成されている。また、ネジ頭退避部３６ｃ及び３６ｄは、平面視で円形状の不貫通な窪みから構成されている。
ネジ頭退避部３６ａ〜３６ｄは、いずれも電池収容部２の背面に設けられるプラス電極５ａ及び５ｃを固定するネジの頭を収容することで退避させる役割を有しており、電池押さえ部３を電池収容部２に固着した時に各ネジの頭を収容可能な位置に設けられている。また、ネジ頭退避部３６ａ及び３６ｂは、楕円状とすることで長手方向にスライドして取り付ける際のストロークを確保した構成としている。
【００４２】
バネ位置固定部３７ａ及び３７ｂは、平面視で円形の窪みから構成され、電池押さえ部３を電池収容部２に固着した時に、電池収容部２の背面に形成された固定用凸部２６ａ及び２６ｂ（後述）を嵌合する役割を有している。従って、バネ位置固定部３７ａ及び３７ｂは、位置関係、電池押さえ部３を電池収容部２に固着した時に、プラス電極５ａ及び５ｃの固定用凸部２６ａ及び２６ｂを嵌合可能な形状及び深さに構成されている。
【００４３】
なお、電池押さえ部３は、ポリカーボネート等の合成樹脂から構成されており、板状の押さえ用爪部３１ａ〜３１ｄ及び固着用爪部３２ａ〜３２ｈは、少なくとも常温で電池押さえ部３の逆Ｒ方向に弾性変形可能に構成されている。
【００４４】
（背面側の回路構成）
次に、電池収容部２の背面側の回路構成を説明する。
図１３（ａ）に示すように、マイナス電極４ｂ及び４ｄの末端は、貫通孔２８ａ及び２８ｂを介して案内用溝２８０ａ及び２８０ｂ内（図４参照）に納まるように電池収容部２の背面側に配置されている。また、図示省略するが、マイナス電極４ｂ及び４ｄの先端部のＵ字状の部分がネジ孔２７ａ及び２７ｂの外周に沿って配置されている。
そして、プラス電極５ａ及び５ｃは、貫通孔１７ａ及び１７ｂを介して、導通部５０Ｃａ及び５０Ｃｃ並びに角部５０Ｒａ及び５０Ｒｃが、マイナス電極４ｂ及び４ｄの上から重なる状態で電池収容部２の背面側に配置されている。
【００４５】
ここで、導通部５０Ｃａ及び５０Ｃｃ並びに角部５０Ｒａ及び５０Ｒｃは、背面側から平面視で略Ｌ字状をなしており、略Ｌ字状の長辺部の短辺部側の一端部寄りの位置に固定用凸部２６ａ及び２６ｂの挿通用の貫通孔が形成され、長辺部の他端部寄りの位置にネジ部挿通用の貫通孔が形成されている。なお、導通部５０Ｃａ及び５０Ｃｃの長辺部は、その一端部がネジ孔２７ａ及び２７ｂ及びその周囲を覆う位置まで延在している。
【００４６】
本実施形態では、導通部５０Ｃａを、そのネジ部挿通用の貫通孔をネジ孔２７ａに同軸に重ね合わせると共に、固定用凸部２６ａの挿通用の貫通孔に固定用凸部２６ａを挿通させた状態で配置する。これにより、導通部５０Ｃａの長辺部がマイナス電極４ｂと接触すると共に他端部がネジ孔２７ａを囲むマイナス電極４ｂ先端のＵ字状部分の上に重なった状態となる。この状態でネジ２７０ａにてネジ止めすることで、プラス電極５ａとマイナス電極４ｂとが、両者が導通した状態で固定される。
【００４７】
マイナス電極４ｄについても、マイナス電極４ｂと同様の配置構成にて、導通部５０Ｃｃを介して、ネジ２７０ｂにてネジ止めすることで、プラス電極５ｃとマイナス電極４ｄとが、両者が導通した状態で固定される。
一方、図１３（ａ）に示すように、マイナス電極４ａが、貫通孔２９ａを介して電池収容部２の背面側に配置されている。また、図示省略するが、マイナス電極４ｃも、貫通孔２９ｂを介して電池収容部２の背面側に配置されている。
【００４８】
これらは、長孔形状の貫通孔２９ａ及び２９ｂに沿って、先端部のＵ字状部分がネジ孔２７ｃ及び２７ｄの周囲を囲む位置まで這い渡されている。
また、プラス電極５ｄは、貫通孔１８ｂ（図４参照）を介して、導通部５０Ｃｄが、マイナス電極４ａの上から重なる状態で電池収容部２の背面側に配置されている。
ここで、導通部５０Ｃｄは、背面側から平面視で略Ｌ字状をなしており、略Ｌ字状の長辺部の短辺部側の一端部寄りの位置に固定用凸部２６ｃの挿通用の貫通孔が形成され、長辺部の他端部寄りの位置にネジ部挿通用の貫通孔が形成されている。なお、導通部５０Ｃｄの長辺部は、その一端部がネジ孔２７ｃ及びその周囲を覆う位置まで延在している。
【００４９】
本実施形態では、導通部５０Ｃｄを、そのネジ部挿通用の貫通孔をネジ孔２７ｃに同軸に重ね合わせると共に、固定用凸部２６ｃの挿通用の貫通孔に固定用凸部２６ｃを挿通させた状態で配置する。これにより、導通部５０Ｃｄの長辺部がマイナス電極４ａと接触すると共に他端部がネジ孔２７ｃを囲むマイナス電極４ａ先端のＵ字状部分の上に重なった状態となる。この状態でネジ２７０ｃにてネジ止めすることで、プラス電極５ｄとマイナス電極４ａとが、両者が導通した状態で固定される。
【００５０】
また、マイナス電極４ｃは、端子板２４の導通部２４Ｃと電気的に接続した状態で固定される。
ここで、導通部２４Ｃは、電池収容部２の背面側で平面視台形状に２段階に折れ曲げた形状を有している。具体的に、正面側から背面側へと長手方向に沿って折れ曲がった先でまず斜め内側に折れ曲がってネジ孔２７ｄの隣まで伸び、そこから更に折れ曲がってネジ孔２７ｄに向かって真っ直ぐに伸びてネジ孔２７ｄ及びその周囲を覆う位置まで延在した形状を有している。そして、導通部２４Ｃの先端部側のネジ孔２７ｄと重なる位置にはネジ部挿通用の貫通孔が形成されている。
【００５１】
本実施形態では、導通部２４Ｃを、そのネジ部挿通用の貫通孔をネジ孔２７ｄに同軸に重ね合わせた状態で配置する。これにより、導通部２４Ｃがマイナス電極４ｃと接触すると共に先端部がネジ孔２７ｄを囲むマイナス電極４ｃ先端のＵ字状部分の上に重なった状態となる。この状態でネジ２７０ｄにてネジ止めすることで、マイナス電極４ｃと端子板２４とが、両者が導通した状態で固定される。
【００５２】
（電池押さえ部３の固着方法）
次に、電池押さえ部３を電池収容部２に固着する方法について説明する。
図３に示すように、電池押さえ部３は、電池収容部２の背面側から固着する。
具体的に、まず、電池収容部２を、押さえ用爪部３１ａ及び３１ｄ並びに３１ｂ及び３１ｃの間に嵌め込む。このとき、バネ押さえ部３４ａ及び３４ｂが貫通孔２８ａ及び２８ｂ内に挿通され、且つ電池押さえ部３の嵌合凹部３３に電池収容部２の嵌合凸部２５が嵌合するように位置合わせをする。
【００５３】
ここで、押さえ用爪部３１ａ及び３１ｄの爪先部の先端間の距離と、押さえ用爪部３１ｂ及び３１ｃの爪先部の先端間の距離とは、電池収容部２の短手方向の幅よりも狭くなっている。そのため、電池収容部２の長壁側の側部などで、押さえ用爪部３１ａ〜３１ｄを外側に弾性変形させながら電池収容部２を押さえ用爪部３１ａ及び３１ｄ並びに３１ｂ及び３１ｃの間に嵌め込む。
【００５４】
続いて、嵌合凹部３３に嵌合凸部２５が嵌合された状態では、押さえ用爪部３１ａ及び３１ｄ並びに３１ｂ及び３１ｃが、切り欠き部１００ａ及び１００ｄ並びに１００ｂ及び１００ｃの間に位置する。加えて、固着用爪部３２ａ〜３２ｈが、取付孔１９ａ〜１９ｈの末尾が同じ符号のもの同士が対向した状態となる。更に、図４と図９とに示す、電池収容部２の背面部と電池押さえ部３の正面部とでは、ネジ孔２７ａ〜２７ｄに螺合されたネジの頭がネジ頭退避部３６ａ〜３６ｄ内に収容され、プラス電極５ａ及び５ｃの角部５０Ｒａ及び５０Ｒｃがバネ退避部３５ａ及び３５ｂ内に収容された状態となる。加えて、固定用凸部２６ａ及び２６ｂがバネ位置固定部３７ａ及び３７ｂ内に嵌合された状態となる。
【００５５】
例えば、図６（ａ）に示すように、角部５０Ｒａがバネ退避部３５ａ内に収容され、固定用凸部２６ａがバネ位置固定部３７ａ内に嵌合される。
引き続き、固着用爪部３２ａ〜３２ｈを外側から押して爪先部３２１ａ〜３２１ｈを取付孔１９ａ〜１９ｈ内に嵌め込むことで固着用爪部３２ａ〜３２ｈが電池収容部２へと嵌着して電池押さえ部３の固着が完了する。このとき、固着用爪部３２ａ〜３２ｈの爪先部３２１ａ〜３２１ｈが返しとなって、固着用爪部３２ａ〜３２ｈが電池収容部２と強固に結合した状態となる。
【００５６】
固着完了後は、図１３（ｂ）に示すように、電池押さえ部３のベース部３０によって、電池収容部２の背面部が覆い隠された状態となる。
また、電池押さえ部３の交換時は、電池押さえ部３を電池収容部２から取り外す必要があるが、電池押さえ部３は、固着用爪部３２ａ〜３２ｈによって電池収容部２と強固に結合した状態となっている。そのため、作業者は手で、固着用爪部３２ａ〜３２ｈを破壊しながら取り外すことになる。
【００５７】
このように、電池押さえ部３を、電池収容部２に一度取り付けた後に破損を伴わないと取り外しが出来ないようにした理由は、作業者が容易に取り外し出来ないようにするためである。
なお、交換が必要な場合は、電池押さえ部３に破損が生じたときであり、また、破損した電池押さえ部３は再利用が出来ない部品である。また、本実施形態の電池押さえ部３は、工具を必要とせずに交換が可能な構造となっている。
【００５８】
従って、電池押さえ部３を交換する際、作業者自ら電池収容部２に残った残部品を手で取り払えば良く、交換を容易に行うことが可能となっている。
また、電池押さえ部３を背面側からネジ止めによって固定しなかった理由は、次の不具合が考えられるためである。
【００５９】
（１）取り外しの作業が多発した場合、樹脂で形成されるネジ孔２７ａ〜２７ｄのタップ溝が、変形、摩耗してしまう恐れがあり、電池押さえ部３が取付不能になる恐れがある。
（２）作業者が感電する恐れがある。
ここで、電池等の交換時、電池押さえ部３の背面は直接作業者の手に触れてしまう部分である。そのため、例えば、電池収容部２と電池押さえ部３との隙間に水が浸入していた場合などの漏電の恐れがあるとき、金属部品であるネジが電池押さえ部３の背面から露出していると、このネジと電極が短絡し、感電してしまう恐れがある。
【００６０】
（作用）
次に、上記構成の電池収容装置１に、乾電池を収容したときの各部の作用について説明する。
図１４に示すように、電池収容装置１には、電池室１６ａ〜１６ｄにそれぞれ乾電池Ｂが収容されている。乾電池Ｂは、長手方向の一端側に突状のプラス端子Ｐを有し、他端側に平坦な円盤状のマイナス端子Ｍを有する。
【００６１】
正常な向きで収容された状態では、各プラス端子Ｐはそれぞれプラス電極５ａ〜５ｄのうちの対応する１つと接触し、各マイナス端子Ｍはそれぞれマイナス電極４ａ〜４ｄのうちの対応する１つと接触した状態となっている。
そして、プラス電極５ｄとマイナス電極４ａとは電気的に接続されているため、収容された４本の乾電池Ｂは直列接続された状態となる。この状態で、例えば、図１６に示すように、産業用無線送信機４００のホルダー収容部４０１に電池収容装置１を収容すると、外部端子（＋）及び外部端子（−）が、図示しない産業用無線送信機４００の電源回路のプラス端子及びマイナス端子に電気的に接続される。これによって、産業用無線送信機４００に電力を供給することが可能となっている。
【００６２】
ここで、プラス電極５ｂの内壁部１０ｉａの背面側の外壁部１０ｅ側の部分である端子部５０Ｃｂは外部端子（＋）としての役割を有している。
一方、電池室１６ａ〜１６ｄに乾電池Ｂが収容されると、図１４及び図１５に示すように、電池押さえ部３の押さえ用爪部３１ａ〜３１ｄの横押さえ爪部３１０ａ〜３１０ｄによって、乾電池Ｂの横側の一部が外側から押さえられた状態となる。加えて、押さえ用爪部３１ａ〜３１ｄの上押さえ爪部３１１ａ〜３１１ｄ及び３１２ａ〜３１２ｄによって、乾電池Ｂの上側の一部が上方から押さえられた状態となる。
【００６３】
ここで、押さえ用爪部３１ａ及び３１ｄは、乾電池を未収用時は、図６（ｂ）に示すように、乾電池の収容位置よりも内側に一部が湾曲して入り込んだ状態となっている。そのため、乾電池Ｂを収容すると、図１５に示すように、押さえ用爪部３１ａ及び３１ｄは電池の形状に沿って外側に弾性変形した状態となる。この弾性変形による弾性力が、押さえ用爪部３１ａ及び３１ｄの内側の面を乾電池Ｂに押し付けて、乾電池Ｂを筐体へ向けて不勢する。このことは、押さえ用爪部３１ｂ及び３１ｃについても同様となる。
【００６４】
（実施形態の作用及び効果）
実施形態に係る電池収容装置１は、乾電池を収容する電池収容部２と、電池収容部２の内側における乾電池のプラス端子と対向する部位に設けられ、当該プラス端子と接触するプラス電極５ａ〜５ｄと、電池収容部２の内側における乾電池のマイナス端子と対向する部位に設けられ、当該マイナス端子と接触するマイナス電極４ａ〜４ｄと、電池収容部２に収容された乾電池を取り外し可能な状態で電池収容部２の筐体に向けて付勢する係止部３を備える。更に、電池抑え部３は、電池収容部２とは別体に構成され電池収容部２に固着された構成となっている。
【００６５】
この構成であれば、電池収容部２と電池押さえ部３とが別体となるので、例えば樹脂で形成された電池の係止部（電池押さえ部３）が破損してもその部品のみを容易に交換することが可能となる。また、電池押さえ部３のみの交換で済むので、修理費を軽減することが可能となる。また、別体であることから、両者を異なる材料から構成したり、異なる色で構成したりすることが容易となる。その結果、材料による強度変更時などにおいて材料コストの上昇を抑えたり、色変更により見映えを向上させたりすることが可能となる。
【００６６】
ここで、実施形態に係る電池収容装置１は、上述したように、例えば図１６に示す産業用無線送信機４００のホルダー収容部４０１に収容されて使用される。この産業用無線送信機４００は、例えば屋外や建設中の建物内などで重機のリモコン等として使用される。そのため、重機の遠隔操作中に電池が切れた場合に、現場にて例えば手袋をした状態で交換を行ったり暗がりで交換を行ったりと、交換状態が劣悪となりやすい。その結果、電池押さえ部３の破損が起きやすい。このような状況において、実施形態に係る電池収容装置１であれば、破損した電池押さえ部３のみを交換することが可能であるため、修理コストを低く抑えることが可能である。また、予備の電池押さえ部３を所持しておくことも可能であり、破損が生じた際にその場で予備と交換して素早く修理を行うことも可能である。
【００６７】
また、実施形態に係る電池収容装置１は、更に、電池押さえ部３が、電池収容部２の背面形状に沿った形状のベース部３０を備え、電池収容部２に固着した時にベース部３０が電池収容部２の背面部を覆うように構成されている。
この構成であれば、固着時にベース部３０によって、電池収容部２の背面部側の電極部のネジ部分を覆い隠すことが可能となるので、背面部に形成した電極部のネジ部分などが外部に剥き出しとなるのを防ぐことが可能となる。また、電池収容部２の背面部でネジ止め等をすることが容易となるので、正面側に結合スペース等を形成した場合と比較して電池収容装置１のサイズを小さくすることが可能となる。
【００６８】
また、実施形態に係る電池収容装置１は、更に、電池収容部２が、収容された乾電池の側面と対向する側壁の一部を切り欠いて形成された切り欠き部１００ａ〜１００ｄを有する。電池押さえ部３が、ベース部３０の両側端部の切り欠き部１００ａ〜１００ｄの形成位置と対応する位置に立設された押さえ用爪部３１ａ〜３１ｄを備える。そして、電池押さえ部３を電池収容部２に固着したときに、切り欠き部１００ａ〜１００ｄを介して押さえ用爪部３１ａ〜３１ｄの横押さえ爪部３１０ａ〜３１０ｄ、上押さえ爪部３１１ａ〜３１１ｄ並びに３１２ａ〜３１２ｄが乾電池の外形に沿ってその側面及び上面の一部に付勢するように構成されている。
【００６９】
この構成であれば、爪部によって乾電池を上部からも押さえることが可能となるので、電池収容部２からの乾電池の脱落をより確実に防止することが可能となる。また、電池押さえ部３を別体としたことによって、押さえ用爪部３１ａ〜３１ｄの長さ寸法を大きくすることが可能となるので、電池押さえ部３を比較的硬い材料（例えばポリカーボネート樹脂）で構成した場合でも曲げ加工を容易とすることが可能となる。
【００７０】
また、実施形態に係る電池収容装置１は、更に、係止部３が、自身を電池収容部２へ固着するための固着用爪部３２ａ〜３２ｈを備える。電池収容部２が、固着用爪部３２ａ〜３２ｈを嵌着するための取付孔１９ａ〜１９ｈを備える。そして、固着用爪部３２ａ〜３２ｈを取付孔１９ａ〜１９ｈに嵌着することで係止部３が保持される構成とした。
この構成であれば、ねじ止め等の部品を用いて保持する構成と比較して、部品コスト及び組立工数を低減することが可能となる。
【００７１】
また、実施形態に係る電池収容装置１は、更に、電池押さえ部３が、固着用爪部３２ａ〜３２ｈによって電池収容部２と強固に結合した状態で固着されており、電池収容部２から取り外す際に結合部分（固着用爪部３２ａ〜３２ｈ）の少なくとも一部が破損する程度の強度で結合されている。
この構成であれば、電池押さえ部３を電池収容部２から容易に取り外しできない構成とすることが可能となり、電池押さえ部３の着脱による磨耗を防ぐことが可能となる。
【００７２】
また、実施形態に係る電池収容装置１は、更に、電池収容部２の内側の長手方向の中央位置に短手方向の両端に亘って設けられた仕切壁１２と、仕切壁１２に仕切られて区分けされた各部屋の短手方向の中央位置に長手方向の両端に亘って設けられた敷居部１５ａ及び１５ｂとを備える。そして、仕切壁１２と、敷居部１５ａ及び１５ｂとによって、４つの電池室１６ａ、１６ｂ、１６ｃ及び１６ｄを形成している。
【００７３】
この構成であれば、仕切壁１２によって乾電池同士が直接接触するのを避けることが可能となる。これによって、例えば、乾電池の端子同士がこすれることで形成される酸化被膜による接触抵抗の増大や、電池の保持状態が不安定なことによる電池の容易な脱落等の問題の発生を防止又は低減することが可能となる。
また、実施形態に係る電池収容装置１は、更に、敷居部１５ａ及び１５ｂが、収容する乾電池の外形に沿った湾曲面の裾野を有する山状に形成されている。更に、電池収容部２の背面部に形成された各電極を固定するためのネジ孔２７ａ〜２７ｄを備える。そして、これらネジ孔２７ａ〜２７ｄは、山状の敷居部１５ａ及び１５ｂの頂上部の背面側に設けられている。
【００７４】
この構成であれば、電極を固定するためのネジ止めの位置を電池収容部２の短手方向中央位置に集中させることが可能である。これによって、落下衝撃などを受けた際に、ネジ止め部分が直接衝撃を受けるのを避けることが可能となる。即ち、衝撃を受けた際に、ネジ止め部分が樹脂部分の撓みを阻止することによる割れの発生を防止することが可能となる。
【００７５】
また、実施形態に係る電池収容装置１は、更に、電池押さえ部３が、電池収容部２に固着時に、マイナス電極４ｂ及び４ｄを横側（短手方向外側）から押さえるバネ押さえ部３４ａ及び３４ｂを設けた。
この構成であれば、マイナス電極４ｂ及び４ｄの横方向の移動を抑制することが可能となり、乾電池との接触不良の発生などを防止することが可能となる。
【００７６】
また、実施形態に係る電池収容装置１は、更に、バネ押さえ部３４ａ及び３４ｂの上端部３４０ａ及び３４０ｂが、電池押さえ部３の短手方向の外側から内側に向かって低くなる傾斜面３４１ａ及び３４１ｂを備えている。
この構成であれば、傾斜面３４１ａ及び３４１ｂによって、マイナス電極４ｂ及び４ｄのコイルバネを構成する金属線の曲がり形状に沿ってマイナス電極４ｂ及び４ｄに当接し、マイナス電極４ｂ及び４ｄの横方向の動きをより確実に抑制することが可能となる。
【００７７】
（変形例）
上記実施形態では、電池押さえ部３を、そのベース部３０によって電池収容部２の背面側を覆い隠す構成としたが、この構成に限らない。例えば、電池収容部２の背面側に配線を行わない構成とした場合など、背面側を覆い隠す必要が無い場合に、電池押さえ用の爪部分のみを別体として電池収容部に固着する構成とするなど他の構成としてもよい。
【００７８】
また、上記実施形態では、マイナス電極４ａ〜４ｄとしてコイルバネを採用し、プラス電極５ａ〜５ｄとして板バネを採用する構成を例に挙げて説明したが、この構成に限らない。例えば、マイナス電極４ａ〜４ｄを板バネで構成しても良いし、マイナス電極４ａ〜４ｄが充分付勢力があるバネで構成されていれば、プラス電極５ａ〜５ｄはバネ部材で構成させる必要はない。また、同様の作用を奏するのであれば、コイルバネや板バネに限らず他のバネを採用する構成としてもよい。
【００７９】
また、上記実施形態では、４本の乾電池を収容して、その乾電池を直列接続する構成としたが、この構成に限らない。例えば、４本の乾電池を並列接続する構成としてもよい。また、４本の乾電池を収容する構成に限らず、乾電池１本〜３本を収容する構成や、５本以上を収容する構成とするなど他の構成としてもよい。
また、上記実施形態では、電池収容部２に乾電池を２行２列に並べて収容する構成としたが、この構成に限らず、他の構成としてもよい。
【符号の説明】
【００８０】
１    電池収容装置
２    電池収容部
３    電池押さえ部
４ａ〜４ｄ    マイナス電極
５ａ〜５ｄ    プラス電極
１０，１１    短壁部
１０ｉａ，１０ｉｂ，１１ｉａ，１１ｉｂ    内壁部
１０ｅ，１１ｅ    外壁部
１２    仕切壁
１２ｉａ，１２ｉｂ，１２ｉａ，１２ｉｂ    壁部
１３，１４    長壁部
１３ａ，１３ｂ，１４ａ，１４ｂ    側壁部
１５ａ，１５ｂ    敷居部
１６ａ〜１６ｄ    電池室
１７ａ，１７ｂ，１８ａ，１８ｂ，２９ａ，２９ｂ    貫通孔
１９ａ〜１９ｈ    取付孔
２０〜２３    凹部
２４    端子板
２５    嵌合凸部
２６ａ〜２６ｃ    固定用凸部
２７ａ〜２７ｄ    ネジ孔
３０    ベース部
３１ａ〜３１ｄ    押さえ用爪部
３２ａ〜３２ｈ    固着用爪部
３３    嵌合凹部
３４ａ，３４ｂ    バネ押さえ部
３５ａ，３５ｂ    バネ退避部
３６ａ〜３６ｄ    ネジ頭退避部
３７ａ，３７ｂ    バネ位置固定部
５０Ｃａ，５０Ｃｃ，５０Ｃｄ    導通部
５０Ｃｂ    端子部
５０Ｅａ〜５０Ｅｄ    電極部
５０Ｒａ，５０Ｒｃ    角部
５０Ｔａ〜５０Ｔｄ    上端部
１００ａ〜１００ｄ    切り欠き部
１５０ａ，１５０ｂ    頂上部
２８０ａ，２８０ｂ    溝部
３１０ａ〜３１０ｄ    横押さえ爪部
３１１ａ〜３１１ｄ，３１２ａ〜３１２ｄ    上押さえ爪部
３２０ａ〜３２０ｈ    爪甲部
３２１ａ〜３２１ｈ    爪先部
４００    産業用無線送信機
４０１    ホルダー収容部
Ｂ１〜Ｂ４    乾電池
Ｐ１〜Ｐ４    プラス端子
Ｍ１〜Ｍ４    マイナス端子
Ｓ１〜Ｓ４    肩部
【図１】
2019220272.tif 000003
【図２】
2019220272.tif 000004
【図３】
2019220272.tif 000005
【図４】
2019220272.tif 000006
【図５】
2019220272.tif 000007
【図６】
2019220272.tif 000008
【図７】
2019220272.tif 000009
【図８】
2019220272.tif 000010
【図９】
2019220272.tif 000011
【図１０】
2019220272.tif 000012
【図１１】
2019220272.tif 000013
【図１２】
2019220272.tif 000014
【図１３】
2019220272.tif 000015
【図１４】
2019220272.tif 000016
【図１５】
2019220272.tif 000017
【図１６】
2019220272.tif 000018